(57)【要約】【課題】本発明は、人体の気血調節用のエネルギーパッチに関するものである。【解決手段】本発明はＮ極とＳ極を備えた永久磁石の特性を有する平面状で下部方向は一つの尖った形状の角を有し、上部方向は少なくとも一つ以上の尖った形状の角を有するゴム合金磁石と、前記ゴム合金磁石のうちいずれか一方にカラー印刷をすることができるカラーコーティング部材と、前記ゴム合金磁石を人体の皮膚に付着することができるようにする接着部材と、から構成される。本発明によると、病症把握、気血の過不足測定・調節、疾病予防などに応用することができて、エネルギーパッチの形状でピラミッドの効果で生体エネルギーを活性化して疾病を治療する効果がある。また、本発明はエネルギーパッチを施術する際、人体の方向気と色彩気を考慮して人体の特定部位に付着するので磁気治療とともに針の効果も同時に得ることができて気血を調節して健康を増進させる効果がある。【選択図】図３
2008068056.tif 000002
【特許請求の範囲】
【請求項１】
人体の経絡に流れる気血を補瀉する気血調節用エネルギーパッチにおいて、永久磁石の特性を有する平面状で下部方向は一つの尖った形状の角を有し、上部方向は少なくとも一つ以上の尖った形状の角を有するゴム合金磁石（１１）と、前記ゴム合金磁石（１１）の表面のうちいずれか一方にカラー印刷をすることができるカラーコーティング部材（１２）とを含むことを特徴とする気血調節用のエネルギーパッチ。
【請求項２】
前記エネルギーパッチは人体の経穴に付着することができるようにする接着部材（１３）をさらに含むことを特徴とする請求項１に記載の気血調節用のエネルギーパッチ。
【請求項３】
前記エネルギーパッチは人体の経穴に付着することができるようにする固定手段（１３）をさらに含むことを特徴とする請求項１または２に記載の気血調節用のエネルギーパッチ。
【請求項４】
前記ゴム合金磁石（１１）は下部方向に一つの尖った角（１０１）を形成して、上部方向には真ん中に尖らせた中央部角（１０３）を形成して、前記中央部角（１０３）の両側には離隔されるように二つの尖った角（１０２，１０４）が形成されることを特徴とする請求項１に記載の気血調節用のエネルギーパッチ。
【請求項５】
前記ゴム合金磁石（１１）は下部方向に一つの尖った角（１１１）を形成して、上部方向の両側に対向するように尖った角（１１２，１１３）が形成されることを特徴とする請求項１に記載の気血調節用のエネルギーパッチ。
【請求項６】
前記ゴム合金磁石（１１）は下部方向に一つの尖った角（１２１）を形成して、前記中央部角の両側に二つの離隔された角（１２２，１２３）を形成して、上部方向の両側に対向される二つの尖った角（１２４，１２５）が形成されることを特徴とする請求項１に記載の気血調節用のエネルギーパッチ。
【請求項７】
前記ゴム合金磁石（１１）は下部方向に一つの尖った角（１４１）を形成して、上部方向の両側に対向される二つの尖った角（１４２，１４３）が形成されることを特徴とする請求項１に記載の気血調節用のエネルギーパッチ。
【請求項８】
前記カラーコーティング部材（１２）の色彩は人の１２干支の中で該当干支によって、白色、黒色、青色又は赤色のうちいずれか一つを選択することを特徴とする請求項１に記載の気血調節用のエネルギーパッチ。
【請求項９】
前記カラーコーティング部材（１２）の色彩は干支が寅、午、戌年生まれは黒色で、亥、卯、未年生まれは白色で、申、子、辰年生まれは赤色で、巳、酉、丑年生まれは青色で選択することを特徴とする請求項８に記載の気血調節用のエネルギーパッチ。
【請求項１０】
前記ゴム合金磁石（１１）の代わりに一般的な永久磁石、布又は紙を使用することを特徴とする請求項１に記載の気血調節用のエネルギーパッチ。
【請求項１１】
前記ゴム合金磁石（１１）の厚みは０．５ｍｍ乃至５．０ｍｍ範囲であることを特徴とする請求項１に記載の気血調節用のエネルギーパッチ。
【発明の詳細な説明】
【技術分野】
【０００１】
本発明は気血調節用のエネルギーパッチに関するものである。より詳しくは、人体の方向気と色彩気を考慮して人体の特定部位に付着し磁石による磁気治療効果とともに針の効果も同時に得ることができるようにする気血調節機能を持つエネルギーパッチに関するものである。
【背景技術】
【０００２】
本発明で使用する”エネルギーパッチ”は磁石針を絆創膏のような接着手段で人の皮膚に付着して気（energy）を流す薄い扁平状のゴム合金磁石で製造された接着用パッチのことを言う。
【０００３】
伝統的な東洋医学では針灸治療が重要な治療技法として使用されている。針灸術は経絡論に基礎して、人体に気が流れる通路である経絡と、その経絡上に特別な機能を持った経穴に針灸を施術することによって治療している。
【０００４】
人体には１２経絡があって、各経絡は内部臓肺機能の代弁者としてその機能の虚と実、寒と熱をバランスよく調節して精神的・身体的な健康を維持するようにする。このような経絡の役割を最もよく移行又は維持させる方法がその各経絡の五輪穴を運用することである。一般的に東洋医学で気は水と関係がある。気は水蒸気が立ちのぼることを意味する文字である。水蒸気が上にのぼると雨を作って、雨は江を作って、その江は人間に飲める水を提供する。昔、古代人たちは水がよく通らないと人間が生きることができないと思った。また人体の７０％は水という。”気がよく通る”ということは人体内の”水がよく循環される”ということを意味する。このような気の循環論に基づいて東洋医学で１２経絡に流れる気の流れを針を用いて調節する針術が発達してきた。
【０００５】
五輪穴は経絡の分布上、四肢末端即ち肘膝関節以下に位置して、木火土金水という五行の属性を有する。伝統的な漢医学の理論によると五行は相生相克の作用をして絶えることなく生命を存続させる。一般的にこのような五輪穴の相生相克によって臓腑虚実を調節する針法が伝来されて漢医師などの臨床家によって活発に運用されている。
【０００６】
最近登場した磁石針（又は磁気針パッチ）は従来技術の針灸の代わりに電磁気誘導現象を応用して人体の経絡と経穴に電磁気を誘導することによって容易に経絡と経穴を感知し刺激して病を治療すると共に健康を増進させる針として人気を得ている。
【０００７】
本発明の先行技術で韓国登録実用新案公報０２９３１４４号”経絡経穴刺激磁石針”が図１のように公開されている。図１は韓国登録実用新案公報０２９３１４４号の磁石針の斜視図である。図１に示された磁石針（１）はリング状の円筒形ディスク構造をしていて、内部に円筒形の孔（２）を備えることによって磁気力線が孔（２）を貫通するようにして磁束を集束させることを特徴とする。
【０００８】
ところが、前記の従来技術の磁石針は円筒形ディスクに接着バンドを貼って人体の皮膚に接着し使用することで、磁気針を単に人体部位に接着して使用するので漢医学の針術のように針を選別的に施術するが人体の気血調節に必要な方位気または色彩気の概念が適用されなくて針の効果が落ちる短所がある。
【０００９】
本発明のまた他の先行技術で韓国公開実用新案公報１９９８−０５６２６１号”等方性磁石針パッチ”が図２のように公開されている。
【００１０】
図２によると、円形磁石（５）の通孔（４）部にスプリング針（３）を挿入して特殊メッキされたキャップ（６）で円形磁石（５）の下端部を覆うと通孔（４）部に挿入されたスプリング針（３）が磁力を受けて結合して血脈に作用し人体に流れる血液のヘモグロビンに活動力を促進させる。図面符号７は接着バンドである。
【００１１】
前記磁石針はＮ，Ｓ各々６００ガウス±１０％になっており、特に等方性になっているので複数個の針を一緒に施術することができる。
【００１２】
また、接着バンドとフェライト磁石を成形して円形の磁石で形成された磁石を先端の通孔部にスプリング針を用いて血脈に磁針されるようにすると共に、磁力線が一箇所に集中されるようにするために円形磁石の下端部にメッキ処理されたキャップを覆って等方性で経絡穴の上に適用することによって人体内の生体電流と血液中のヘモグロビンに作用し活動力を促進させる効果がある。
【００１３】
【特許文献１】韓国登録実用新案公報０２９３１４４号
【特許文献２】韓国公開実用新案公報１９９８−０５６２６１号
【発明の開示】
【発明が解決しようとする課題】
【００１４】
しかし、前記磁気針の場合、円形磁石（５）の通孔（４）部にスプリング針（３）を挿入してバンドを貼って人体の皮膚に接着して使用することで、磁気針を単に人体部位に接着して使用するので漢医学の針術のように針を選別的に施術して、気が足りないところには気を入れて、気のあり過ぎるところは気を疎通させる補瀉の概念がなくて気血調節の能力が落ちる問題点がある。
【００１５】
従来技術のまた他の問題点は磁石針が太くて又は重くて皮膚に付着の際うまく付着できない短所があり、皮膚と接触の際皮膚炎を起こす問題点もある。
【００１６】
したがって、本発明は従来技術の問題点を解決するためになされたもので、本発明の目的は人体の経絡と経穴部位に適用され簡易に使用できるように補瀉の概念を具備した気血調節用エネルギーパッチを提供することにある。
【００１７】
本発明の他の目的は、ゴム合金磁石の上下角に一つ以上の尖った形状の角を備えてピラミッド効果が針の角部分に集中してあらわれるようにして、人によってエネルギーパッチの方向と色彩を考慮して皮膚に施術すると気血を調節することができるエネルギーパッチを提供することにある。
【課題を解決するための手段】
【００１８】
このような目的を達成するために、本発明は人体の経絡と経穴に気を補瀉する気血調節用エネルギーパッチにおいて、Ｎ極とＳ極を備えた永久磁石の特性を有する平面状で下部方向は一つの尖った形状の角を有し、上部方向は少なくとも一つ以上の尖った形状の角を有するゴム合金磁石と、前記ゴム合金磁石の表面のうちいずれか一方にカラー印刷をすることができるカラーコーティング部材と、前記ゴム合金磁石を人体の皮膚に付着することができるようにする接着部材を含むことを特徴とする。
【００１９】
本発明の最善の実施例で、前記ゴム合金磁石の下部方向に一つの尖った角を形成して、上部方向には真ん中の部分に尖らせた中央部角を形成して、前記中央部角の両側には離隔されるように二つの尖った角を形成することを特徴とする。
【００２０】
前記カラーコーティング部材の色彩は人の１２干支の中で該当干支によって、白色、黒色、青色、赤色に区分して色彩を印刷したものを使用する。
【００２１】
好ましくは、寅、午、戌年生まれの人は活性色が黒色であり、亥、卯、未年生まれの人は活性色が白色であり、申、子、辰年生まれの人は活性色が赤色であり、巳、酉、丑年生まれの人は活性色が青色で、その色彩を選択する。
【発明を実施するための最良の形態】
【００２２】
以下、本発明による実施例を図面を用いて説明すると次のようだ。
【００２３】
図３は本発明の第１実施例におけるエネルギーパッチの正面図であり、図４は図３の断面図であり、図５は本発明の第２実施例におけるエネルギーパッチの正面図であり、図６は本発明の第３実施例におけるエネルギーパッチの正面図であり、図７は本発明の第４実施例におけるエネルギーパッチの正面図である。図８は本発明の第５実施例におけるエネルギーパッチの正面図であり、図９は第６実施例におけるエネルギーパッチの正面図である。
【００２４】
図１０は本発明の使用方法を示す実施例示図である。図１１ａ〜１１ｃは本発明のエネルギーパッチを用いて風邪を治療する場合の経穴位置図である。図１２ａ〜１２ｃは本発明のエネルギーパッチを用いて疲労回復を図る場合の経穴位置図である。図１３は本発明のエネルギーパッチを商品化した場合を示す実施例示図である。
【００２５】
図３は本発明の第１実施例におけるエネルギーパッチの正面図であり、図４は図３の断面図である。
【００２６】
本発明は気血を補瀉する気血調節用エネルギーパッチ（１０）において、Ｎ極とＳ極を備えた永久磁石の特性を有して平面状で下部方向は一つの尖った形状の角を有し、上部方向は少なくとも一つ以上の尖った形状の角を有するゴム合金磁石（１１）と、前記ゴム合金磁石（１１）の表面のうちいずれか一方にカラー印刷をすることができるカラーコーティング部材（１２）と、前記ゴム合金磁石（１１）を人体の皮膚に付着することができるようにする接着部材（１３）を含んで構成される。
【００２７】
図３の第１実施例の場合、前記ゴム合金磁石（１１）の下部方向に一つの尖った角（１０１）を形成して、上部方向には真ん中に尖らせた中央部角（１０３）を形成して、前記中央部角（１０３）の両側には離隔されるように二つの尖った角（１０２，１０４）を形成することを特徴とする。
【００２８】
前記カラーコーティング部材（１２）の色彩は人の１２干支の中で該当干支によって、白色、黒色、青色、赤色に区分して色彩を印刷したものを使用する。
【００２９】
本発明者が長い臨床を通じて得た結果、干支が寅、午、戌年生まれの人は活性色が黒色であり、亥、卯、未年生まれの人は活性色が白色であり、申、子、辰年生まれの人は活性色が赤色であり、巳、酉、丑年生まれの人は活性色が青色で、該当色彩を選択することが望ましいことを発見した。
【００３０】
以下、本発明の作用効果を説明する。
【００３１】
図３乃至図９に示された本発明のエネルギーパッチには磁石針の原理であるＮ極とＳ極間に形成される磁気場で補瀉の効果と、エネルギーパッチの尖った部分に気が集中されるピラミッドの効果と、エネルギーパッチを皮膚に施術する際考慮される方位気と色彩気の効果が存在する。
【００３２】
本発明のエネルギーパッチは上部の尖った角から下部の角に磁力線が集中して流れることが特徴である。このようなエネルギーパッチを人体の皮膚上に付着すると気の虚実を補完する補瀉の効果を得られる。
【００３３】
本発明に使用する”補瀉”は虚したるものはこれを補い、実したるはこれを瀉すというのを意味する。補瀉の原理は磁気力が下部方向の角に流れるということに基礎する。このような磁気力の流れによって経絡の気運すなわち軽気の流れを導き意図する補瀉の効果を発揮するようにすることができる。即ち、上部方向から下部方向の角に経穴（五輪穴）に付着すると磁気力の流れによって経穴の気運を補う捕法が実行される。
【００３４】
これとは反対に、下部方向の角を上にし上部方向の角を下にして経穴に付着するとやはり磁気力の流れによって経穴の気運を瀉する為法が実行される。本発明の適用は経穴点に付着させることによって既存の針の限界（時間、場所など）を克服できて、五輸穴を運用する針技法より使いやすくて針の効果の持続時間を極大化することができる長所がある。
【００３５】
かつ、本発明のエネルギーパッチは下部方向の尖った角に気が集中されるのでピラミッド効果が発生する。”ピラミッド効果”とはピラミッド内で瞑想をするか又は寝ると生体エネルギーを活性化させて頭がすっきりして集中力が向上する効果のことを言う。
【００３６】
紀元前２７００年頃に作られたピラミッドの驚くべき点は巨大な構造物の方向である。各稜線はほぼ正確な東西南北を示している。ピラミッドの形状は独特なエネルギーを集中して発散させる特徴のため脳波のアルファ波が多く発生する。科学者たちは瞑想修行者の頭に脳波探知装置を付着した後ピラミッドの中に入って脳波測定実験を行った結果アルファ波の振幅が高くなったことを証明した。
【００３７】
図５は本発明の第２実施例におけるエネルギーパッチの正面図であり、図６は本発明の第３実施例におけるエネルギーパッチの正面図であり、図７は本発明の第４実施例におけるエネルギーパッチの正面図である。図８は本発明の第５実施例におけるエネルギーパッチの正面図であり、図９は第６実施例におけるエネルギーパッチの正面図である。
【００３８】
図３乃至図９のエネルギーパッチはピラミッドのように尖った角形状がその特徴である。これらの共通点は図３のように、エネルギーパッチは異方性ゴム合金磁石であり、その形状は薄い平面状のゴム合金磁石からなる磁石針である。Ｎ極とＳ極が図面のように配置され磁力線が発生して上部方向から下部方向に集中されることが特徴である。
【００３９】
特に、下部方向にピラミッドの頂点のように一つの尖った角が形成されて、上部方向または中央部に一つ以上の尖った角が形成されていることが特徴である。
【００４０】
図５でゴム合金磁石（１１）は下部方向に一つの尖った角（１１１）を形成して、上部方向の両側に対向される二つの尖った角（１１２，１１３）が形成されることを特徴とする。
【００４１】
図６でゴム合金磁石（１１）は下部方向に一つの尖った角（１２１）を形成して、前記中央部角の両側に二つの離隔された角（１２２，１２３）を形成して、上部方向の両側に対向される二つの尖った角（１２４，１２５）が形成される。
【００４２】
図７では図６と類似した形状で、ゴム合金磁石（１１）は下部方向に一つの尖った角（１３１）を形成して、前記中央部角の両側に二つの離隔された角（１３２，１３３）を形成して、上部方向の両側に対向される二つの尖った角（１３４，１３５）が形成されることを特徴とする。
【００４３】
図８でゴム合金磁石（１１）は下部方向に一つの尖った角（１４１）を形成して、上部方向の両側に対向される二つの尖った角（１４２，１４３）が形成されることが特徴である。
【００４４】
図９でゴム合金磁石（１１）は下部方向に一つの尖った角（１５１）を形成して、上部方向には真ん中に尖らせた中央部角（１５３）を形成して、前記中央部角（１５３）の両側には離隔されるように二つの尖った角（１５２，１５４）を形成することを特徴とする。図３と角の形状は類似であるが各角の間を連結する傾斜が相違することが特徴である。
【００４５】
本発明の実施例であるエネルギーパッチはゴム合金磁石の代わりに一般的な永久磁石、布又は紙を使用できる。好ましい実施例としてその磁気力は約２０００乃至４０００ガウス内外の値を有するように製作することができる。より好ましくは約３０００ガウスの大きさの磁束密度を持つ永久磁石を使用できる。ゴム合金磁石の厚みは０．５ｍｍ乃至５．０ｍｍ範囲のものを使用できる。本発明に使用される最善の実施例でゴム合金磁石の厚みは０．８ｍｍが適合する。
【００４６】
図１０は本発明の使用方法を示す実施例示図である。本発明のエネルギーパッチ（１０）を固定手段（２０）で皮膚に付着する。固定手段（２０）としたは絆創膏、医療用紙テープ又はパッチ等がある。本発明の核心原理は前記エネルギーパッチ（１０）を皮膚に付着する際、エネルギーパッチの方向とエネルギーパッチの表面に付着されたカラーコーティング部材（１２）の色彩（Color）を人の干支を考慮して選択することが特徴である。
以下、方位気と色彩気の原理を説明する。
【００４７】
１）方位気の原理方位気（compass direction energy）とは人がいずれの方位に向かっている時あるいはその方位で人体に反応する気（energy）のことを言う。色彩気（chromatic energy）とは色彩が人体の疲労に反応する気のことを言う。昨今、体質について鋭敏に問われているが、この方位気や色彩気の応用にはあまり関係ないものと判明された。その故に体質に関係なくどの体質にも同じく反応することになる。
【００４８】
”オーリングテスト（o-ring test）”はよく知られているように被検者の現在の身体状態で利するものと害になるものを”プラス”と”マイナス”に反応することを確認する方法である。
【００４９】
幾学的にみる時、被検者の脳は自分の気の過不足を常に把握していることにより過不足で乱れている気のバランスを取ろうとする恒常性のメカニズムを稼動して”プラス”と”マイナス”で反応するようにする。それで脳の”センサー”（感知機能）に障害になる気が存在するということを発見した。
【００５０】
方位気４種類と色彩気４種類が存在する。このような８種類の気を適切に活用すると、”オーリングテスト”の正確性（再現性）を期待できることはもちろん成人病を始めとした疾病予防及び正確な診断と治療などいろいろな方面に応用できる。東洋医学に用いられている陰陽五行説に基づくと東方は木（tree）、西方は金（gold）、南方は火（fire）、北方は水（water）と言った。
【００５１】
私たちが住んでいる地球に寒帯と熱帯があることはよく知られている事実である。このような方位気帯の傾向は人の体質を各々火気（fire energy）、木気（tree energy）、水気（water energy）、金気（go1d energy）の体質で作る非常な”パワー”を持っている。次の表は本発明者が臨床を通じてもっとも効果がある場合、本発明の方位気の分類表である。
【００５２】
【表１】
2008068056.tif 000003
【００５３】
前記の表で１２支は人が生まれた年支を意味する。
【００５４】
気年は生年の地支の三つが集まって一つの五行に変わった気を言う。
前記方位気は命を失う時まで消滅されるか変質される場合はほとんどない。東方には木気帯、西方には金気帯、南方には火気帯、北方には水気帯が存在して、この気帯（energy band）にはそれぞれ固有な性質の気が常に特有の方面に流れていることを発見した。
【００５５】
前記四つの方位気はどの形態でも衝突なくどの障害があっても特有の方面を固執して一方面にだけ流れる性質を持っている。例えば、非常に小さい部屋のような狭小な場所でもこのような性質はそのまま維持している。
【００５６】
特異な所は方位気の”リズム”が１２ヶ月、約３６５日の間特に強力な磁場が形成されて、その次の年には平常に戻るという事実である。
【００５７】
世界の全てのものはそれぞれ磁気場と磁気波を有している。例えば、火年（fire zodiac sign）であればこの年の新生児は母胎から分離される瞬間から初呼吸を臍帯の呼吸ではなく脳呼吸（新生児は頭上に息穴がある）で濃い火気（磁気）が白会を経て脳髄、眉間、胸腺、中枢神経、脊髄などに浸透することになる。このように方位気はまるで染料が布や紙に染まるように新生児の体に染みる。
【００５８】
即ち、一つの磁気場体が誕生するのである。同時に人間磁石体には大きい羅針が形成される。羅針盤の羅針は常に地球の磁力の影響で南→北に載せられる時、羅針は揺れをとまる。
【００５９】
例えば、木年の場合、木年の羅針は東→西に載せられる時、言い換えれば西に向かう時羅針は揺れをとまる。
【００６０】
水年は北→西に、金年は西→東に、火年は南→北に向かうようにして北の水気を受けるようにすると羅針は揺れをとまる。
【００６１】
羅針の磁気方向（活性方向）が外れる時は磁気方向を探そうとする作用で羅針がはげしく動くようになる。羅針の揺れがはげしい場合脳の活動、特に”センサー”（感知機能）の誤作動を起こすようになる。
【００６２】
広く知られた”オーリングテスト”もそれぞれ被険者や検査者の羅針が揺れる間は”センサー”（感知機能）は過負荷によって応分の機能を発揮できなくなって、いつも同じ再現性を期待することができないという原理が作られるのである。
【００６３】
２）色彩気の原理
全ての物体には電磁波（electromagnetic wave）がある。色彩には温度があってそれぞれ特有の電子波が出る。
【００６４】
例えば、青色（b1ue co1or）は金気（gold energy）、白色（white color）は木気（tree energy）、赤色（red color）は水気（water energy）、黒色（b1ack color）は火気（fire energy）が出る。
【００６５】
色の波動・波長は驚くべき”パワー”を持っている。５ｍｍにもならない小さい色紙や布を経穴に貼ってみると大きい反応が現れる。アレルギー鼻炎の患者の鼻水が止まったり、咳が止まったり、不眠を熟眠に変える等驚くべき現象が起きる。
例えば、一面は赤色でほかの一面は黒色である場合、火年の人は黒色が皮膚に触れるようにすると下着やねまき、靴下等も気充填に影響を与える。皮膚に直接触れない上着の色彩はあまり影響がない。
【００６６】
１２干支を分析してみると：寅、午、戌年生まれの人は活性色が黒色である。亥、卯、未年生まれの人は活性色が白色である。申、子、辰年生まれの人は活性色が赤色である。巳、酉、丑年生まれの人は活性色が青色である。活性色の下着を着て、活性色の靴下を履いて、活性方位の気を受ける姿勢で”オーリングテスト”を行うと同一な結果を得られる。”オーリングテスト”は被険者の気のバランスを現在の状況で商量・判断する一つの方法である。
【００６７】
被険者の脳は自分の気の過不足をよく把握しているだけでなく気のバランスを取ろうとする恒常性である不足分の表現で”＋”又は”−”に現在の状況を知らせてくれる。言い換えれば、金気が足りない場合は金気の物質は”＋”に表現される。即ち、”＋”は金気が足りないマイナス状態で例えば正常値１００で現在の左肺が７０程度なら３０を補強（”＋”）して１００でバランスを調節しようとする。
【００６８】
臨床を通じて得た通計によると通常人種と体質に関係なく、人は左肺が虚して、右肺は実する。左肺は虚して、即ち足りないということで正常の値が１００で、右肺の気が７０で足りない場合なら３０を補強（”＋”）して１００で虚と実のバランスを調節しようとする。このような虚実関係を”オーリングテスト”でテストしてみると３０の虚した分量を補強（”＋”）するために指の握力が強くなることが分かる。
【００６９】
このように、方位気と色彩気を活用すると、即ち活性色を用いて私たちの皮膚に影響を与えて皮膚に触れる下着を着て、靴下を履くと体に気の強弱までも反応することが分かる。
【００７０】
図１１ａ〜図１１ｃは本発明のエネルギーパッチを用いて風邪を治療する場合経穴の位置を説明するための図面である。人が風邪をひく場合は免疫力が弱くなったり、気管支および肺の機能が乱れる時である。この場合、本発明のエネルギーパッチを施術する好ましい実施例としては七つの経穴にエネルギーパッチを付着して経穴の流れを円滑にする。
【００７１】
七つの経穴の位置は図１１ａに示された背筋にある大枢穴、二つの肺兪穴と図１１ｂ及び図１１ｃに示された四つの風門穴がある。このような経穴を探して本発明のエネルギーパッチを付着して、必ずエネルギーパッチの下部方向の角方向とカラーコーティング部材の色彩を選別して施術すると効果がある。
【００７２】
図１２ａ〜図１２ｃは本発明のエネルギーパッチを用いて疲労回復を治療する場合の経穴の位置を説明するための図面である。人の疲労はストレス、悩み、心配、疾病からの不眠症又は情緒不安からくる。この場合、本発明のエネルギーパッチを施術する好ましい実施例としては五つの経穴にエネルギーパッチを付着すると経穴の流れが円滑になる。
【００７３】
五つの経穴の位置は図１２ａに示された左側手のひらにある少府穴、魚際穴及び太淵穴と、図に示された左側足の母指の間にある行間穴、図１２ｃに示された足首にある復溜穴である。このような経穴を探して本発明のエネルギーパッチを付着して、必ずエネルギーパッチの下部方向の角方向とカラーコーティング部材の色彩を選別して施術すると効果がある。
【００７４】
図１３は本発明のエネルギーパッチを商品化した実施例示図である。本発明のエネルギーパッチ（１０）を製品化する際は下地紙（３０）に多数個のエネルギーパッチ（１０）を固定手段（２０）で固定することが好ましい。下地紙（３０）の大きさによって１０個、２０個、５０個など多様な個数のエネルギーパッチ（１０）を固定し包装して販売できる。
【００７５】
本発明の上述した好ましい実施例に限定されず、本発明の範囲内で多様な改良、変更、代替又は付加して実施することが可能であることは当該技術分野に通常の知識を持った者であれば容易に理解できる。このような改良、変更、代替又は付加による実施が以下の添付された特許請求の範囲に含まれることならその技術思想も本発明に含まれることと見なす。
【００７６】
以上説明したように、本発明によると、病症把握、気血の過不足測定・調節、疾病予防などに応用することができて、エネルギーパッチの形状でピラミッドの効果で生体エネルギーを活性化して成人病と難治病を治療する効果がある。
【００７７】
また、本発明はエネルギーパッチを施術する際、人体の方向気と色彩気を考慮して人体の特定部位に付着するので磁気治療の効果とともに針の効果も同時に得ることができて気血を調節して健康を増進させる効果がある。
【００７８】
本発明によると、従来の漢医院で針を打つ瞬間に感じるひりひりする痛みはその痛みに対する怖さがあったが、本発明のエネルギーパッチは単に経穴に付着するだけなので針に対する拒否感や怖さがなくて針と同じ効果を得ることができる。
【００７９】
かつ、エネルギーパッチは厚みが０．８ｍｍ以下で非常に薄いので皮膚に付着することが容易である。
【００８０】
エネルギーパッチは１２時間の間適切な位置の経穴に付着した後、剥がして１２時間を休んだ後再び付着しなければならないので着脱が容易すべきである。
本発明のエネルギーパッチは従来のパッチのような下地紙にエネルギーパッチを付着して使用できるので一般人も経穴の位置だけ分かると容易く着脱が可能な長点がある。したがって、経済的な波及効果が非常に大きい。
【００８１】
特に、本発明は従来の磁石針や一般の針で適用しなかった方位気と色彩気を考慮して施術するので生体エネルギーを活性化して疾病を治療する効果が優れた有用な発明である。
【図面の簡単な説明】
【００８２】
【図１】従来のエネルギーパッチの斜視図。
【図２】従来の等方性磁石針パッチの分解斜視図。
【図３】本発明の第１実施例におけるエネルギーパッチの正面図。
【図４】図３の断面図。
【図５】本発明の第２実施例におけるエネルギーパッチの正面図。
【図６】本発明の第３実施例におけるエネルギーパッチの正面図。
【図７】本発明の第４実施例におけるエネルギーパッチの正面図。
【図８】本発明の第５実施例におけるエネルギーパッチの正面図。
【図９】本発明の第６実施例におけるエネルギーパッチの正面図。
【図１０】本発明の使用方法を示す実施例示図。
【図１１ａ】本発明のエネルギーパッチを用いて風邪を治療する場合の経穴位置図。
【図１１ｂ】本発明のエネルギーパッチを用いて風邪を治療する場合の経穴位置図。
【図１１ｃ】本発明のエネルギーパッチを用いて風邪を治療する場合の経穴位置図。
【図１２ａ】本発明のエネルギーパッチを用いて疲労回復を図る場合の経穴位置図。
【図１２ｂ】本発明のエネルギーパッチを用いて疲労回復を図る場合の経穴位置図。
【図１２ｃ】本発明のエネルギーパッチを用いて疲労回復を図る場合の経穴位置図。
【図１３】本発明のエネルギーパッチを商品化した実施例示図。
【符号の説明】
【００８３】
１０  エネルギーパッチ
１１  ゴム合金磁石
１２  カラーコーティング部材
１３  接着部材
２０  固定手段
３０  下地紙
【図１】
2008068056.tif 000004
【図２】
2008068056.tif 000005
【図３】
2008068056.tif 000006
【図４】
2008068056.tif 000007
【図５】
2008068056.tif 000008
【図６】
2008068056.tif 000009
【図７】
2008068056.tif 000010
【図８】
2008068056.tif 000011
【図９】
2008068056.tif 000012
【図１０】
2008068056.tif 000013
【図１１ａ】
2008068056.tif 000014
【図１１ｂ】
2008068056.tif 000015
【図１１ｃ】
2008068056.tif 000016
【図１２ａ】
2008068056.tif 000017
【図１２ｂ】
2008068056.tif 000018
【図１２ｃ】
2008068056.tif 000019
【図１３】
2008068056.tif 000020